(57)【特許請求の範囲】
【請求項１】
軟質材料製のグロメットアウタと組み合わせることでグロメットを構成するものであり、環状体を半割りして、２つの半環状体の端部相互を突き合わせ、一方の端部に設けた係合凸部を他方の端部に設けた係合凹部に差し込み結合することにより、前記環状体の状態でパネルの貫通孔内周縁に嵌合される硬質材料製のグロメットインナにおいて、
前記係合凸部として、互いに近接した第１、第２の２つの係合突起を設けると共に、前記係合凹部として、クランク形断面の壁によって互いに仕切られた第１、第２の２つの差し込み凹部を形成し、前記クランク形断面の壁は、グロメットインナの軸線方向を向いて互いに略平行をなす第１、第２の壁と、これら第１、第２の壁に直交し且つ該第１、第２の壁の端部間をつなぐ第３の壁とを有し、前記第１、第２の２つの係合突起は、それらを前記第１、第２の差し込み凹部にそれぞれ差し込んだとき、前記第３の壁を両側から挟み、且つ、第１、第２の壁に互いに反対側の面からそれぞれ密着するものとして設けられていることを特徴とするグロメットインナ。
【請求項２】
請求項１記載のグロメットインナであって、
前記係合凸部として、前記第１、第２の２つの係合突起とは別に更に、幅広板状の第３の係合突起を設け、該第３の係合突起の幅広方向と前記第１、第２の２つの係合突起の並び方向を、互いに略直交した関係に設定すると共に、前記第３の係合突起に対応する係合凹部として、該第３の係合突起を差し込んだときに、その幅広面に密着する壁を有した第３の差し込み凹部を設けたことを特徴とするグロメットインナ。
【発明の詳細な説明】
【０００１】
【発明の属する技術分野】
本発明は、主に樹脂等の硬質材料で成形され、ゴム等の軟質材料製の筒状のグロメットアウタと組み合わせることでグロメットを構成する半割り型のグロメットインナに関する。
【０００２】
【従来の技術】
この種のグロメットインナを用いたグロメットの例として、実開昭５９−２５１１５号公報に記載のものが知られている。このグロメットは、図３に示すように、ゴム等の軟質弾性材料製のグロメットアウタ１と、その端部に嵌合された硬質剛性材料製のグロメットインナ３との組み合わせにより構成されている。グロメットインナ３は、パネル５の貫通孔５ａの内周縁に嵌合される環状のもので、グロメットアウタ１の防水リップ１ａをパネル５に密接させるようにしている。従って、グロメット全体としては、硬質のグロメットインナ３の部分でパネル５に取り付けられるから、取り付けが確実であり、取り付け状態を長く維持することができる等のメリットがある。
前記グロメットインナ３は、ワイヤーハーネスＷを後から通すために、通常、図４（ａ），（ｂ）に示すように中心線で半割りされている。各半環状体３ａ，３ｂは同一形状のもので、分割した端部７ａ，７ｂ及び端部７ｃ，７ｄを互いに突き合わせ、係合凹部９と係合凸部１１を嵌合させることにより、環状の前記グロメットインナ３を構成し、グロメットインナ３はこのような環状体の状態でパネル５の貫通孔５ａに嵌合される。
【０００３】
【発明が解決しようとする課題】
ところで、従来のグロメットインナ３では、係合凸部１１を係合凹部９に差し込むことで、半環状体３ａ，３ｂ同士を結合しているが、結合部にがたつきが生じやすく、グロメットの防水信頼性を損なうおそれがある上、図４（ｂ）に示すように、結合部を中心にした外側からの曲げ力Ｆに弱かった。
【０００４】
本発明は、上記事情を考慮し、結合部にがたつきが発生しにくく、曲げに強いグロメットインナを提供することを目的とする。
【０００９】
【課題を解決するための手段】
請求項１の発明は、軟質材料製のグロメットアウタと組み合わせることでグロメットを構成するものであり、環状体を半割りして、２つの半環状体の端部相互を突き合わせ、一方の端部に設けた係合凸部を他方の端部に設けた係合凹部に差し込み結合することにより、前記環状体の状態でパネルの貫通孔内周縁に嵌合される硬質材料製のグロメットインナにおいて、前記係合凸部として、互いに近接した第１、第２の２つの係合突起を設けると共に、係合凹部として、クランク形断面の壁によって互いに仕切られた第１、第２の２つの差し込み凹部を形成し、前記クランク形断面の壁は、グロメットインナの軸線方向を向いて互いに略平行をなす第１、第２の壁と、これら第１、第２の壁に直交し且つ該第１、第２の壁の端部間をつなぐ第３の壁とを有し、前記第１、第２の２つの係合突起は、それらを前記第１、第２の差し込み凹部にそれぞれ差し込んだとき、前記第３の壁を両側から挟み、且つ、第１、第２の壁に互いに反対側の面からそれぞれ密着するものとして設けられていることを特徴とする。
【００１０】
この発明では、係合凸部として第１、第２の２つの係合突起を設け、これら係合突起を、第１、第２の２つの差し込み凹部を画成するクランク形断面の壁に密着させるようにしているので、係合突起の差し込み方向と直交する全方向の遊びを減少させることができ、がたつきをなくすことができる。また、２つの係合突起が、クランク形断面の壁の軸方向一方側と他方側の両面を挟む形になるので、曲げ力に対する有効な抵抗力を発生することができ、曲げに対する強度を高めることができる。
【００１１】
請求項２の発明は、請求項１記載のグロメットインナであって、前記係合凸部として、前記第１、第２の２つの係合突起とは別に更に、幅広板状の第３の係合突起を設け、該第３の係合突起の幅広方向と前記第１、第２の２つの係合突起の並び方向を、互いに略直交した関係に設定すると共に、前記第３の係合突起に対応する係合凹部として、該第３の係合突起を差し込んだときに、その幅広面に密着する壁を有した第３の差し込み凹部を設けたことを特徴とする。
【００１２】
この発明では、請求項１における第１、第２の係合突起の他に、第１、第２の２つの係合突起の並び方向と直交する方向に幅広方向を向けた幅広板状の第３の係合突起を設けて、第３の差し込み凹部に嵌合させるようにしたので、前記直交する方向をＡ方向、Ｂ方向とした場合、Ａ方向の曲げ力に対しては第１、第２の係合突起が有効な抵抗力を発生し、Ｂ方向の曲げ力に対しては第３の係合突起が有効な抵抗力を発生する。従って、あらゆる方向の曲げ力に対して有効な抵抗力を発生することができ、曲げに対する強度を一層高めることができて、結合部のがたつきを防止することができる。
【００１５】
【発明の実施の形態】
以下、本発明の実施形態を図面に基づいて説明する。
【００１６】
図１の（ａ）は半割り形状のグロメットインナ１０の分解斜視図、（ｂ）は（ａ）のＩｂ−Ｉｂ矢視断面図である。図２の（ａ）はグロメットインナ１０を構成する半環状体（半割体）１０Ａの平面図、（ｂ）はその結合部側から見た正面図、（ｃ）は同側面図である。
【００１７】
図１（ｂ）に示すように、このグロメットインナ１０は、軟質材料（ゴム）製のグロメットアウタ５１と組み合わせることでグロメット５０を構成するものであり、図１（ａ）に示すように、環状体を半割りして、２つの同形状の半環状体１０Ａの端部１１，１２を相互に突き合わせ、一方の端部１１に設けた２つの係合凸部１３，１４を他方の端部に設けた係合凹部１５，１６に差し込み結合することにより、前記環状体の状態で、図１（ｂ）に示すように、パネル５２の貫通孔５２ａの内周縁に嵌合される樹脂等の硬質材料製のものである。グロメットアウタ５１には、パネル５２の面に密着することでシール性能を発揮する密着部５４が設けられている。
【００１８】
半環状体１０Ａの端部１１，１２相互の結合部は、図２にも示すように、一方の端部１１を他方の端部１２よりも引っ込んだ位置に設けることにより、筋向かいの位置に配置されている。
【００１９】
突き合わせ端部１１の１種の係合凸部１３としては、互いに近接した第１、第２の２つの係合突起１３ａ，１３ｂを設けている。また、もう１種の係合凸部１４としては、前記第１，第２の２つの係合突起１３ａ，１３ｂとは別の、幅広板状の１つの第３の係合突起１４ａを設けている。第３の係合突起１４ａの幅広方向と、第１，第２の係合突起１３ａ，１３ｂの並び方向は、互いに略直交した関係にある。グロメットインナ１０の軸線方向をＡ方向、それと直交する方向をＢ方向とした場合、第３の係合突起１４ａの幅広方向はＡ方向、第１，第２の係合突起１３ａ，１３ｂの並び方向はＢ方向となっている。
【００２０】
ここで、２つの係合突起１３ａ，１３ｂが間隔をおいて並んで配置されていることにより、２つの係合突起１３ａ，１３ｂを機能的に１つの係合凸部１３として見た場合、当該係合凸部１３の断面の実質的な幅広方向は、２つの係合突起１３ａ，１３ｂの並び方向と見なすことができる。つまり、１つの係合凸部１３を２つの係合突起１３ａ，１３ｂに分割してあるものの、機能的には、２つの係合突起１３ａ，１３ｂの並び方向に幅広となった１枚の幅広板状の係合凸部１３としての役割を担うものと見なすことができる。
【００２１】
同様に、本実施形態では、１枚の幅広板状の第３の係合突起１４ａで、もう１つの係合凸部１４を構成しているが、例えばＢ方向に間隔をおいて配置した２つの係合突起で、機能的に幅広板状の１つの係合凸部としての役割を果たすようにすることもできる。つまり、１枚の板として連続していても、２つに分割されていても、機能的には差異がないことを意味している。
【００２２】
即ち、ここで実質的に幅広方向というのは、１枚の連続した板としての幅広方向（係合凸部１４）と、２つの係合突起１３ａ，１３ｂを並べた場合のその並び方向との両方の概念を指している。
【００２３】
このグロメットインナ１０は、図１（ｂ）に示すように、先端からパネル５２の貫通孔５２ａに挿入される筒状部２１と、その筒状部２１の基端に連続する外フランジ部２２とを有する鍔付き管状のものであり、図２（ｂ）に示すように、筒状部２１の外周数カ所には、パネル５２の貫通孔５２ａに筒状部２１を挿入したとき、貫通孔５２ａの周縁部に係合する弾性係合部２３が設けられている。
【００２４】
半環状体１０Ａの端部に設けられた前記係合凸部１３としての２つの係合突起１３ａ，１３ｂは、外フランジ２２の位置に設けられ、前記係合凸部１４としての１枚の幅広板状の係合突起１４ａは、筒状部２１の位置に設けられている。そのため、これらの第１〜第３の係合突起１３ａ，１３ｂ，１４ａに対応する係合凹部１５，１６として、第１〜第３の差し込み凹部１５ａ，１５ｂ，１６ａが、それぞれの係合突起１３ａ，１３ｂ，１４ａに対応する外フランジ部２２及び筒状部２１に設けられている。
【００２５】
外フランジ部２２及び筒状部２１は、全周にわたってそれぞれ同一断面に形成され（ただし、端部には端壁、途中にはリブが必要に応じて設けられている）、外フランジ２２はクランク形断面の壁２５を含むＳ字状断面に形成されている。また、筒状部２１は一端（図１の上端）が塞がった袋状の二重壁（外周壁２１ａと内周壁２１ｂ）によって構成されている。そして、幅広板状の第３の係合突起１４ａを差し込むための第３の差し込み凹部１６ａが、筒状部２１を構成する外周壁２１ａと内周壁２１ｂの間の環状空間の端部に確保されている。
【００２６】
一方、クランク形断面の壁２５は、グロメットインナ１０の軸線方向を向いて互いに略平行をなす第１，第２の壁２５ａ，２５ｂと、これら第１，第２の壁２５ａ，２５ｂに直交し且つ該第１，第２の壁２５ａ，２５ｂの端部間をつなぐ第３の壁２５ｃとからなる。
【００２７】
外フランジ２２は、第１の壁２５ａの外周端に、更に第３の壁２５ｃと平行な第４の壁２５ｄを立設することで、第４，第３の壁２５ｄ，２５ｃの間に、第１の壁２５ａを底壁とする上向き開放の溝２６を形成し、第３の壁２５ｃと筒状部２１の外壁２１ａの間に、第２の壁２５ｂを底壁とする下向き開放の溝２７を形成している。そして、両方の溝２６，２７の周方向の片端部が、第１，第２の係合突起１３ａ，１３ｂを差し込むための差し込み凹部１５ａ，１５ｂとしての役目を担っている。従って、第１の差し込み凹部１５ａと第２の差し込み凹部１５ｂは、クランク形断面の壁２５によって互いに仕切られている。
【００２８】
また、第１，第２の２つの係合突起１３ａ，１３ｂは、それらを第１，第２の差し込み凹部１５ａ，１５ｂにそれぞれ差し込んだとき、第３の壁２５ｃを両側から挟み、且つ、第１，第２の壁２５ａ，２５ｂに両側の面からそれぞれ密着するものとして設けられている。また、第３の係合突起１４ａは、それを第３の係合凹部１６ａに差し込んだとき、自身の幅広面を外周壁２１ａまたは内周壁２１ｂに密着するものとして設けられている。
【００２９】
次に作用を説明する。
【００３０】
このグロメットインナ１０を使用する場合は、図示しないワイヤーハーネスを内側に取り囲むようにして、図１（ａ）に示すように、２つの半環状体１０Ａの端部１１，１２を相互に突き合わせる。そして、一方の端部１１に設けた係合突起１３ａ，１３ｂ，１４ａを、相手側の端部の差し込み凹部１５ａ，１５ｂ，１６ａに差し込み結合することにより、環状のグロメットインナ１０を構成する。次いで、このグロメットインナ１０をグロメットアウタ５１に嵌合させることにより、硬質と軟質の２部品よりなるグロメット５０を構成し、パネル５２の貫通孔５２ａにこのグロメット５０を嵌着することで、パネル５２に対するワイヤーハーネスの貫通部をシールする。
【００３１】
このグロメットインナ１０の場合、係合凸部１３として第１，第２の２つの係合突起１３ａ，１３ｂを設け、これら係合突起１３ａ，１３ｂを、第１，第２の２つの差し込み凹部１５ａ，１５ｂを画成するクランク形断面の壁２５に密着させるようにしているので、係合突起１３ａ，１３ｂの差し込み方向と直交する全方向の遊びを減少させることができ、がたつきをなくすことができる。また、２つの係合突起１３ａ，１３ｂが、クランク形断面の壁２５の軸方向一方側と他方側の両面を挟む形になるので、曲げ力に対する有効な抵抗力を発生することができ、曲げに対する強度を高めることができる。
【００３２】
また、第１，第２の係合突起１３ａ，１３ｂの他に、第１，第２の２つの係合突起１３ａ，１３ｂの並び方向（Ｂ方向）と直交する方向（Ａ方向）に幅広方向を向けた幅広板状の第３の係合突起１４ａを設けて、第３の差し込み凹部１６ａに嵌合させるようにしたので、Ａ方向の曲げ力に対しては第１、第２の係合突起１３ａ，１３ｂが有効な抵抗力を発生し、Ｂ方向の曲げ力に対しては第３の係合突起１４ａが有効な抵抗力を発生する。従って、あらゆる方向の曲げ力に対して有効な抵抗力を発生することができ、曲げに対する強度を一層高めることができて、結合部のがたつきを防止することができる。
【００３３】
また、端部１１，１２相互の結合部を筋向かいの位置に配しているので、曲げ外力を受けても、結合部に応力が集中しにくくなって、応力が分散されることにより、曲げに対する強度が一段と高まる。
【００３４】
また、フランジ部２１は、クランク形断面を含むＳ字形断面に構成しているので、同部分の軽量化を図りながら、フランジ部２１の曲げ剛性を高めることができる。また、筒状部２２についても、二重壁化することにより、軽量化を図りながら高剛性にすることができる。
【００３５】
なお、上記実施形態では、２つの係合凸部１３，１４のうち、一方の係合凸部１３を、近接して並べた２つの係合突起１３ａ，１３ｂで構成しているが、他方の係合突起１４ａ（係合凸部１４）と同様に、１枚の幅広板状の係合突起とすることもできる。その場合、差し込み凹部もそれに対応して変更することになる。また、上記実施形態のように、第１と第２の２つの係合突起１３ａ，１３ｂでクランク形断面の壁２５を挟むようにした場合、結合部のがたつきを抑える効果が高いので、がたつき防止だけを図る場合には、第３の係合突起１４ａを省略することも可能である。
【００３８】
【発明の効果】
以上説明したように、請求項１の発明によれば、２つの係合突起をクランク形断面の壁に密着させるようにしているので、係合突起の差し込み方向と直交する全方向の遊びを減少させることができ、がたつきをなくすことができる。また、２つの係合突起がクランク形断面の壁を両側から挟むので、曲げ力に対する有効な抵抗力を発生することができ、曲げに対する強度も高まる。
【００３９】
請求項２の発明によれば、請求項１の発明の効果に加えて、第１、第２の係合突起の並び方向と直交する方向に幅広方向を向けた幅広板状の第３の係合突起を設けて、第３の差し込み凹部に嵌合させるようにしているので、曲げに対する強度を一層高めることができる。
【図面の簡単な説明】
【図１】本発明の実施形態のグロメットインナの説明図で、（ａ）は半割り形状のグロメットインナの分解斜視図、（ｂ）は（ａ）のＩｂ−Ｉｂ矢視断面図である。
【図２】本発明のグロメットインナの説明図で、（ａ）はグロメットインナを構成する半環状体（半割体）１０Ａの平面図、（ｂ）はその結合部側から見た正面図、（ｃ）は同側面図である。
【図３】従来の硬質・軟質２部品（グロメットインナ、グロメットアウタ）構造のグロメットの使用状態を示す断面図である。
【図４】図３のグロメットインナの構成図で、（ａ）は分解平面図、（ｂ）は側面図である。
【符号の説明】
１０  グロメットインナ
１０Ａ  半環状体
１１，１２  端部
１３，１４  係合凸部
１３ａ，１３ｂ，１４ａ  係合突起
１５，１６  係合凹部
１５ａ，１５ｂ，１６ａ  差し込み凹部
２５  クランク形断面の壁
２５ａ  第１の壁
２５ｂ  第２の壁
２５ｃ  第３の壁
５０  グロメット
５１  グロメットアウタ
５２  パネル
５２ａ  貫通孔
【図１】
0003798307.tif 000002
【図２】
0003798307.tif 000003
【図３】
0003798307.tif 000004
【図４】
0003798307.tif 000005